(57)【要約】      （修正有）【課題】取出孔における衛生用薄葉紙の保持の確実性と、取出孔に衛生用薄葉紙を通す作業の容易性を両立した衛生用薄葉紙収納容器を提供する。【解決手段】衛生用薄葉紙を内部に収納する容器本体１と、容器本体１に着脱自在に取り付けられ、上面に孔部２１ｄが形成された蓋体２と、容器本体１内部に収納された衛生用薄葉紙を取り出す取出孔３ｃを有し、孔部２１ｄと取出孔３ｃとが平面視で重なるように蓋体２に取り付けられた取出部３と、を備える衛生用薄葉紙収納容器１００であって、取出部３は、第１の材料によって形成された上面部３１と、第１の材料よりも軟質の第２の材料によって形成された下面部３２と、を有する。【選択図】図２
2018140810.tif 000002
【特許請求の範囲】
【請求項１】
衛生用薄葉紙を内部に収納する容器本体と、前記容器本体に着脱自在に取り付けられ、上面に孔部が形成された蓋体と、前記容器本体内部に収納された衛生用薄葉紙を取り出す取出孔を有し、前記孔部と前記取出孔とが平面視で重なるように前記蓋体に取り付けられた取出部と、を備える衛生用薄葉紙収納容器であって、
前記取出部は、第１の材料によって形成された上面部と、前記第１の材料よりも軟質の第２の材料によって形成された下面部と、を有することを特徴とする衛生用薄葉紙収納容器。
【請求項２】
前記取出部は、側面に設けられた括れ部を有し、当該括れ部に前記孔部の縁が嵌め込まれることによって、前記蓋体に取り付けられ、
前記取出部は、平面視多角形状に形成されていることを特徴とする請求項１に記載の衛生用薄葉紙収納容器。
【請求項３】
前記取出部は、側面に設けられた括れ部を有し、当該括れ部に前記孔部の縁が嵌め込まれることによって、前記蓋体に取り付けられ、
前記取出部の側面には、１又は複数の突起部が備えられていることを特徴とする請求項１又は２に記載の衛生用薄葉紙収納容器。
【請求項４】
前記蓋体は、上面に前記孔部を囲む突出部を備え、
前記取出部は、下面に前記取出孔を囲む溝部を備え、
前記溝部に前記突出部が嵌め込まれることによって、前記取出部が前記蓋体に取り付けられることを特徴とする請求項１に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床やトイレ、あるいは人体などを拭くための衛生用薄葉紙を収納する衛生用薄葉紙収納容器が知られている。
このような衛生用薄葉紙収納容器として、当該収納容器に設けられた孔部に、取出孔を備えた取出部を着脱可能に備え、この取出孔により衛生用薄葉紙に抵抗を掛けて、衛生用薄葉紙に設けられたミシン目にて衛生用薄葉紙を切り離す構成のものが知られている（例えば、特許文献１参照）。
【先行技術文献】
【特許文献】
【０００３】
【特許文献１】特開２０１２−１９２９６２号公報
【発明の概要】
【発明が解決しようとする課題】
【０００４】
このような衛生用薄葉紙収納容器においては、連続して衛生用薄葉紙を使用できるようにするため、衛生用薄葉紙をミシン目で切り離した際に、次の衛生用薄葉紙が容器内部に落ち込むことなく、その端部が取出孔から突出した状態で保持される必要がある。このような衛生用薄葉紙の保持機能を高めるためには、取出部の素材として、比較的硬質な素材を用いることが望ましい。
しかしながら、衛生用薄葉紙の詰替時等においては、使用者は、容器内側から指を用いて衛生用薄葉紙を取出孔に通す必要があるが、この作業は、取出部が硬質な素材で形成されているほど困難となる。
【０００５】
本発明の課題は、取出孔における衛生用薄葉紙の保持の確実性と、取出孔に衛生用薄葉紙を通す作業の容易性を両立した衛生用薄葉紙収納容器を提供することである。
【課題を解決するための手段】
【０００６】
上記課題を解決するために、請求項１に記載の発明は、
衛生用薄葉紙を内部に収納する容器本体と、前記容器本体に着脱自在に取り付けられ、上面に孔部が形成された蓋体と、前記容器本体内部に収納された衛生用薄葉紙を取り出す取出孔を有し、前記孔部と前記取出孔とが平面視で重なるように前記蓋体に取り付けられた取出部と、を備える衛生用薄葉紙収納容器であって、
前記取出部は、第１の材料によって形成された上面部と、前記第１の材料よりも軟質の第２の材料によって形成された下面部と、を有することを特徴とする。
本発明によれば、衛生用薄葉紙の端部が取出孔から外れてしまうことを防止でき、かつ、衛生用薄葉紙を、取出孔に通す作業が容易となる。
【０００７】
請求項２に記載の発明は、請求項１に記載の衛生用薄葉紙収納容器において、
前記取出部は、側面に設けられた括れ部を有し、当該括れ部に前記孔部の縁が嵌め込まれることによって、前記蓋体に取り付けられ、
前記取出部は、平面視多角形状に形成されていることを特徴とする。
本発明によれば、取出部を蓋体からより外れ難くすることができ、かつ、取出部が水平方向に回転してしまうことを防止できる。
【０００８】
請求項３に記載の発明は、請求項１又は２に記載の衛生用薄葉紙収納容器において、
前記取出部は、側面に設けられた括れ部を有し、当該括れ部に前記孔部の縁が嵌め込まれることによって、前記蓋体に取り付けられ、
前記取出部の側面には、１又は複数の突起部が備えられていることを特徴とする。
本発明によれば、取出部を蓋体からより外れ難くすることができ、かつ、取出部が水平方向に回転してしまうことを防止できる。
【０００９】
請求項４に記載の発明は、請求項１に記載の衛生用薄葉紙収納容器において、
前記蓋体は、上面に前記孔部を囲む突出部を備え、
前記取出部は、下面に前記取出孔を囲む溝部を備え、
前記溝部に前記突出部が嵌め込まれることによって、前記取出部が前記蓋体に取り付けられることを特徴とする。
本発明によれば、気密性を向上することができ、かつ、取出部が衛生用薄葉紙収納容器の内部に落下することを防止できる。
【発明の効果】
【００１０】
本発明によれば、取出孔における衛生用薄葉紙の保持の確実性と、取出孔に衛生用薄葉紙を通す作業の容易性を両立した衛生用薄葉紙収納容器を提供することができる。
【図面の簡単な説明】
【００１１】
【図１】実施形態に係る衛生用薄葉紙収納容器の斜視図である。
【図２】図１のII-II部における断面図である。
【図３】実施形態に係る衛生用薄葉紙収納容器の取出部の斜視図（ａ）及び断面図（ｂ）である。
【図４】変形例１に係る衛生用薄葉紙収納容器の取出部の斜視図である。
【図５】変形例２に係る衛生用薄葉紙収納容器の取出部の斜視図である。
【図６】変形例３に係る衛生用薄葉紙収納容器の断面図である。
【発明を実施するための形態】
【００１２】
以下、本発明の実施形態である衛生用薄葉紙収納容器の具体的な態様について、図１から図６に基づいて説明する。ただし、本発明の技術的範囲は、図示例に限定されるものではない。
【００１３】
（実施形態の構成）
（全体構成）
衛生用薄葉紙収納容器１００は、図１に示すように、衛生用薄葉紙Ｐ（例えば、ロール状に巻かれたウェットシートやウェットティッシュ等のロールペーパー）を内部に収納する容器本体１と、容器本体１に着脱自在に取り付けられる蓋体２と、蓋体２に着脱自在に取り付けられる取出部３と、を備えて構成されている。
蓋体２が、容器本体１に対して着脱自在に構成されているため、容器本体１から蓋体２を取り外した状態で、容器本体１の内部に衛生用薄葉紙Ｐを収納したり、内部から衛生用薄葉紙Ｐを取り出したりすることができる。
また、衛生用薄葉紙Ｐは、上下方向に沿った軸心にロール状に巻かれた状態で容器本体１に収納されている。また、衛生用薄葉紙Ｐには、長さ方向に一定間隔をおいてミシン目が施されており、そのミシン目に沿って切り離した衛生用薄葉紙Ｐを、ユーザが使用するようになっている。
【００１４】
（容器本体）
容器本体１は、衛生用薄葉紙Ｐを収納するための容器であり、有底円筒形上に形成され、上面には開口部が設けられている。また、側面の上端部の外周面には、図２に示すように、周方向に沿って雄ネジ部１１が設けられている。
容器本体１は、例えば、ＰＥ（ポリエチレン）、ＰＰ（ポリプロピレン）、ＰＥＴ（ポリエチレンテレフタレート）、ＡＢＳ樹脂等から形成されている。
容器本体１は、平面視において直径60ｍｍ〜200ｍｍ、好ましくは65ｍｍ〜110ｍｍの円となり、Ｚ軸方向（高さ）175ｍｍ〜200ｍｍ、好ましくは175ｍｍ〜185mｍ、各面の厚み0.05ｍｍ〜10ｍｍ、好ましくは0.1ｍｍ〜5ｍｍの円筒形状に形成されている。
【００１５】
（蓋体）
蓋体２は、図１及び図２に示すように、蓋体本体２１と、小蓋２２と、から構成されている。
【００１６】
蓋体本体２１は、例えば、ＰＥ（ポリエチレン）、ＰＰ（ポリプロピレン）、ＰＥＴ（ポリエチレンテレフタレート）、ＡＢＳ樹脂等から形成されており、下面が開放された円筒形状をなし、天面部２１ａと、側面部２１ｂと、天面部２１ａの平面視内周側に下方に向けて凹状に形成される凹部２１ｃと、孔部２１ｄと、凹部２１ｃ内において孔部２１ｄを囲むように円筒形状に立設された本体側壁部２１ｅと、を備えている。
蓋体本体２１は、平面視において直径60ｍｍ〜200ｍｍ、好ましくは65ｍｍ〜110ｍｍの円形となり、Ｚ軸方向（高さ）15ｍｍ〜50ｍｍ、好ましくは33ｍｍ〜45ｍｍ、各面の厚み0.05ｍｍ〜10ｍｍ、好ましくは0.1ｍｍ〜5ｍｍの円筒形状に形成されている。
【００１７】
また、側面部２１ｂの下端部の内周面には、容器本体１の雄ネジ部１１と螺合する雌ネジ部２１１が設けられている。これによって、図２に示すように容器本体１と蓋体２は、雄ネジ部１１と雌ネジ部２１１を介した着脱自在な連結構造をとり、容器本体１から蓋体２を取り外すことが可能となっている。
【００１８】
（凹部）
凹部２１ｃは、閉塞時の小蓋２２と平面視における形状が略一致し、小蓋２２を嵌めることができるように形成されている。また、凹部２１ｃは、前端部が平面視において小蓋２２よりも大きく、小蓋２２が嵌め込まれた状態でも若干の隙間が残るように形成されている。これによって、当該隙間を利用して小蓋２２に指を掛けることが可能となる。
【００１９】
（孔部）
孔部２１ｄは、蓋体本体２１の平面視略中央に平面視円形に形成された、衛生用薄葉紙収納容器１００内部に通じる孔であり、平面視において、取出部３より僅かに小さく形成され、後述のように孔部２１ｄには取出部３が固定される。
【００２０】
（本体側壁部）
本体側壁部２１ｅは、孔部２１ｄの周囲を囲むように、凹部２１ｃ内において円筒形状に上方に向けて延出して形成されている。本体側壁部２１ｅは、外径が小蓋２２に形成される小蓋側壁部２２ａの内径と同一か、ごく僅かに小さくなるように形成されている。
【００２１】
（小蓋）
小蓋２２は、例えば、ＰＥ（ポリエチレン）、ＰＰ（ポリプロピレン）、ＰＥＴ（ポリエチレンテレフタレート）、ＡＢＳ樹脂等から形成され、端部が蓋体本体２１と連結され、閉塞時における下面から突出した小蓋側壁部２２ａを備える。小蓋２２は、閉塞時の平面視における形状が凹部２１ｃと略一致し、閉塞時に凹部２１ｃに嵌めることができるように形成されている。
（小蓋側壁部）
小蓋側壁部２２ａは、小蓋２２の閉塞時において下方に向けて延出する円筒形状に形成されている。また、小蓋側壁部２２ａは、内径が本体側壁部２１ｅの外径と同一か、ごく僅かに大きくなるように形成されている。これによって、小蓋２２の閉塞時に、小蓋側壁部２２ａと本体側壁部２１ｅとが嵌合し、小蓋側壁部２２ａと本体側壁部２１ｅとで囲まれた空間、ひいては当該空間と孔部２１ｄを介して繋がる衛生用薄葉紙収納容器１００内部の気密性を保つことができる。
【００２２】
なお、本実施形態では、本体側壁部２１ｅと小蓋側壁部２２ａとを嵌合させることによって、衛生用薄葉紙収納容器１００内部の気密性を保つよう構成しているが、衛生用薄葉紙収納容器１００内部の気密性を保つことができれば、上記と異なる構成とすることも可能である。
また、収納する衛生用薄葉紙Ｐが薬液等を染み込ませたものでなく、乾燥を防ぐ必要がない場合には、特に気密手段を備えない構成としてもよい。
【００２３】
（取出部）
取出部３は、図３に示すように平面視において円形となる略円柱状に形成された弾性変形可能な部材であり、平面視中央部に形成された凹部３ａと、側面に形成された括れ部３ｂと、凹部３ａの平面視略中央に形成された取出孔３ｃと、を備えている。
また、取出部３は、平面視において、蓋体本体２１の直径の10分1以上、3分の1以下の孔部２１ｄより僅かに大きい円形となり、また、Ｚ軸方向の厚みは、凹部３ａを除いて2.0ｍｍ〜10.0ｍｍ、好ましくは3.0ｍｍ〜7.0ｍｍとなるように形成されている。
【００２４】
（凹部）
凹部３ａは、取出部３の上面において、周縁部を残して、上面視円形状に下方に向けて凹状となるように形成されている。また、凹部３ａは、その底面が平面となるように形成されている。
【００２５】
（括れ部）
括れ部３ｂは、取出部３の側面の上下方向略中央部を周方向に沿って周回するようにして、平面視において取出部３の直径の20分の1以上、10分の1以下の深さとなるように径方向に凹んだ溝状に形成される。上記のように取出部３は、平面視において孔部２１ｄより僅かに大きく形成されているため、この括れ部３ｂに孔部２１ｄの縁を嵌め込むことによって、取出部３を蓋体本体２１に固定することが可能となる。
【００２６】
（取出孔）
取出孔３ｃは、容器本体１の内部に収納された衛生用薄葉紙Ｐを取り出すための孔であり、凹部３ａの底面の略中央に、十字型、略星型等の形状となるように、複数の切り込みを入れることにより形成されている。切り込みの長さは、5ｍｍ〜30ｍｍ、好ましくは10ｍｍ〜15ｍｍに形成され、例えば、一般的なユーザの人差し指の幅以上となる15ｍｍ程度に設定されている。
【００２７】
このように形成された取出孔３ｃによって、引き出された衛生用薄葉紙Ｐに抵抗を掛けることで、使用する衛生用薄葉紙Ｐをミシン目に沿って切り離すと共に、次の衛生用薄葉紙Ｐを取出孔３ｃから端部が出た状態で保持しておくことが可能となる。
【００２８】
なお、図３（ａ）においては、２本の切り込みによって十字状に取出孔３ｃを形成した場合について図示したが、取出孔３ｃの形状としてはこれに限られず、上記の機能を果たすことが可能であれば任意の形状を選択可能である。
【００２９】
（上面部及び下面部）
取出部３は、図３に示すように、異なる材料を用いて形成された上面部３１と下面部３２による２層構造によって形成されている。また凹部３ａは上面部３１を貫通することなく、平面視における取出部３の全面が２層構造となるように形成されている。
なお、このような２層構造は、少なくとも取出孔３ｃ周辺において形成されている必要があるが、必ずしも取出部３の全面が２層構造を有する必要はない。
【００３０】
上面部３１を形成する材料と、下面部３２を形成する材料とには硬度差があり、上面部３１は第１の材料を用いて形成されており、下面部３２は第１の材料よりも軟質な第２の材料を用いて形成されている。具体的には、例えば、上面部３１を形成する第１の材料は硬度60〜70、下面部３２を形成する第２の材料は硬度15〜30となるように形成されていることが望ましい。第１の材料が硬度60〜70であれば、衛生用薄葉紙Ｐが上面部３１によって確実に保持され、衛生用薄葉紙Ｐの端部が取出孔３ｃから外れ、衛生用薄葉紙収納容器１００の内部に落ちてしまうことをより効果的に防止できる。また、第２の材料が硬度15〜30であれば、衛生用薄葉紙Ｐを、取出孔３ｃに通す作業がより行い易くなる。
なお、上面部３１及び下面部３２の硬度は、JIS K 6253（タイプAデュロメータ）によって測定される。
【００３１】
また、括れ部３ｂは、上面部３１又は下面部３２とのいずれに形成されてもよい。括れ部３ｂが上面部３１に形成された場合には、硬質な第１の材料で形成された部分に括れ部３ｂが形成されることとなるため、取出部３を蓋体本体２１からより外れ難くすることができる。
【００３２】
上面部３１を形成する第１の材料としては、例えば、ＰＥ（ポリエチレン）、ＰＰ（ポリプロピレン）、ＰＥＴ（ポリエチレンテレフタレート）等が、下面部３２を形成する第２の材料としては、例えば、ＴＰＥといったエラストマーが挙げられる。
【００３３】
上面部３１と下面部３２とは、同一の色で形成してもよいが、異なる色で形成してもよい。
【００３４】
（実施形態の効果）
本実施形態によれば、まず、取出孔３ｃの周辺を含む取出部３の上面部３１は下面部３２よりも硬質な第１の材料を用いて形成されている。したがって、上面部３１によって衛生用薄葉紙Ｐが確実に保持され、衛生用薄葉紙Ｐの端部が取出孔３ｃから外れ、衛生用薄葉紙収納容器１００の内部に落ちてしまうことを防止できる。
また、取出孔３ｃの周辺を含む取出部３の下面部３２は第１の材料よりも比較的軟質な第２の材料を用いて形成されている。したがって、衛生用薄葉紙収納容器１００の使用開始時等において、衛生用薄葉紙Ｐを取出孔３ｃに挿通する際には、比較的軟質な材料によって形成された取出部３の下面部３２側から行うことなるため、衛生用薄葉紙Ｐを、取出孔３ｃに通す作業が容易となる。
【００３５】
さらに、取出部３の取出孔３ｃ周辺は、衛生用薄葉紙Ｐを引き出す際には、常に上向きの抵抗を受けることになるため、使用回数が増えると、取出孔３ｃ周辺が劣化し、上向きに曲がる形で変形してしまうことがあり、このように変形すると、衛生用薄葉紙Ｐに十分な抵抗を掛けることができなくなってしまう。
本実施形態によれば、取出部３の上面部３１が比較的硬質な材料によって形成されているため、このような変形も防止することができる。
【００３６】
また、取出部３を蓋体本体２１に固定する際に用いられる括れ部３ｂが上面部３１に形成されている場合、括れ部３ｂの周囲が比較的硬質な材料で形成されているため、取出部３が蓋体本体２１から外れ難くなり、取出部３が容器内部に落下することも防止できる。
【００３７】
また、上面部３１と下面部３２とを異なる色で形成した場合、上面部３１と下面部３２との区別が明確となり、使用者が誤って取出部３を上下反対に取り付けて使用してしまうことを防止できる。
【００３８】
（変形例１）
変形例１は、図４に示すように、取出部３Ａの形状を、平面視において四角形となる略四角柱状としたものである。なお、平面視における形状は四角形に限られず、三角形、五角形等その他の多角形状となるように形成してもよい。この場合、取出部３Ａが取り付けられる孔部２１ｄの形状を、取出部３Ａの平面視における形状と合致する形状とし、取出部３Ａを固定できるようにする必要がある。
また、取出部３Ａは、平面視において、対角線の長さが蓋体本体２１の10分の1以上、3分の1以下となるように形成されている。
【００３９】
取出部が平面視円形の場合においても、取出部の固定強度は十分なものであるが、本変形例によれば、取出部の形状を平面視多角形状とすることによって、取出部を、蓋体本体からより外れ難くすることができる。
また、衛生用薄葉紙Ｐを引き出す際等に、取出部が水平方向に回転してしまうことを防止することができる。
【００４０】
（変形例２）
変形例２は、図５に示すように、取出部３Ｂを、側面に突起部３ｄ、３ｄを備えた形状としたものである。突起部３ｄ、３ｄは、上下方向の厚みが、取出部３Ｂの他の部分のうち凹部３ａ以外の部分と比較して4分1以上、4分の3以下の厚みとなるように形成されており、上面部３１には、図５に示すように突起部３ｄ、３ｄと取出部３Ｂの他の部分との間に段差が形成されている。
また、突起部３ｄは、平面視において、取出部３Ｂの側面から径方向に突出するように形成されている。
なお、この場合も変形例１と同様、取出部３Ｂが取り付けられる孔部２１ｄの形状を、取出部３Ｂの平面視における形状と合致する形状とし、取出部３Ｂを固定できるようにする必要がある。
【００４１】
突起部が備えられていない場合においても、取出部の固定強度は十分なものであるが、本変形例によれば、取出部に突起部を備えることによって、取出部を、蓋体本体からより外れ難くすることができる。
また、衛生用薄葉紙Ｐを引き出す際等に、取出部が水平方向に回転してしまうことを防止することができる。
【００４２】
なお、図５においては、２つの突起部３ｄ、３ｄを備えたものを図示したが、突起部の個数は、これより少数又は多数であってもよい。また、図５においては、取出部を平面視略円形状に形成した上で突起部３ｄ、３ｄを備えたものを図示したが、変形例１のように平面視多角形状となるように形成した上で、さらに突起部を設けてもよい。
【００４３】
（変形例３）
変形例３は、図６に示すように、蓋体本体２１Ａの凹部２１ｃの上面側に、孔部２１ｄを囲むように上方に向けて延出する突出部２１ｆを設けると共に、取出部３Ｃの下面側に、突出部２１ｆと係合する溝部３ｅを設け、溝部３ｅに突出部２１ｆを差し込むことで、取出部３Ｃを孔部２１ｄの直上に保持するよう構成したものである。この場合、取出部３Ｃは、平面視において孔部２１ｄよりも大きく形成する必要がある。
本変形例によれば、大型の取出部３Ｃによって孔部２１ｄが上方から覆われるため、気密性を向上することができ、また取出部３Ｃが衛生用薄葉紙収納容器１００Ａの内部に落下することも防止できる。
【００４４】
なお、収納される衛生用薄葉紙Ｐは、必ずしもロール状に巻かれたものに限られず、例えばシートが交互に折り重ねられた状態で積層され、１枚の衛生用薄葉紙Ｐを取り出した際に次の衛生用薄葉紙Ｐも取出孔まで引き出されるように形成された、所謂ポップアップ式のシートを用いることも可能である。
【符号の説明】
【００４５】
１００、１００Ａ  衛生用薄葉紙収納容器
１  容器本体
２、２Ａ  蓋体
２１ｄ  孔部
２１ｆ  突出部
３、３Ａ、３Ｂ、３Ｃ  取出部
３ｂ  括れ部
３ｃ  取出孔
３ｄ  突起部
３ｅ  溝部
３１  上面部
３２  下面部
Ｐ  衛生用薄葉紙
【図１】
2018140810.tif 000003
【図２】
2018140810.tif 000004
【図３】
2018140810.tif 000005
【図４】
2018140810.tif 000006
【図５】
2018140810.tif 000007
【図６】
2018140810.tif 000008